(57)【要約】【課題】容易に製造可能で、且つ、ガスを発生させることなく複数の導線を固定することができる端子を有するステータユニットを提供する。【解決手段】ステータユニット２は、コイル２６を有するステータ２０と、コイル２６のコイル端部の先端部分に位置し、芯線５１ａと、芯線５１ａの外周面を被覆する絶縁材料からなる絶縁部５１ｂとを有する複数の導線５１と、複数の導線５１に接続される端子５２と、導電性の接続部材６０と、を有する。芯線５１ａは、絶縁部５１ｂによって被覆されずに露出する端面５１ｃを有する。接続部材６０が、芯線５１ａの端面に接続し、且つ、端子５２に接続することで、複数の導線５１を端子５２に固定し且つ複数の導線５１の芯線５１ａと端子５２とを電気的に接続する。【選択図】図２
2020181762.tif 000002
【特許請求の範囲】
【請求項１】
コイルを有するステータと、
前記コイルのコイル端部の先端部分に位置し、芯線と前記芯線の外周面を被覆する絶縁材料からなる絶縁部とを有する複数の導線と、
前記複数の導線に接続される端子と、
導電性の接続部材と、
を有し、
前記芯線は、前記絶縁部によって被覆されずに露出する端面を有し、
前記接続部材が、前記芯線の前記端面に接続し且つ前記端子に接続することで、前記複数の導線を前記端子に固定し且つ前記複数の導線の前記芯線と前記端子とを電気的に接続する、
ステータユニット。
【請求項２】
請求項１に記載のステータユニットにおいて、
前記端子は、
複数の壁部を有し且つ該複数の壁部の間に前記複数の導線を束ねた状態で収容する収容部を有する、
ステータユニット。
【請求項３】
請求項１に記載のステータユニットにおいて、
前記端子は、
前記複数の導線を束ねた状態で収容する筒状の収容部を有する、
ステータユニット。
【請求項４】
請求項２または３に記載のステータユニットにおいて、
前記複数の導線における前記芯線の前記端面は、前記複数の導線が前記収容部に収容された状態で、前記接続部材によって、前記収容部に固定され且つ前記端子に電気的に接続される、
ステータユニット。
【請求項５】
請求項２から４のいずれか一つに記載のステータユニットにおいて、
前記接続部材を介して、前記複数の導線の端面及び前記端子の前記収容部に接続される導電部材をさらに有し、
前記接続部材は、前記複数の導線の前記芯線と前記端子の前記収容部とを電気的に接続し且つ前記導電部材を介して前記複数の導線の前記芯線と前記端子の前記収容部とを電気的に接続する、
ステータユニット。
【請求項６】
請求項２から５のいずれか一つに記載のステータユニットにおいて、
前記収容部は塑性変形していない、
ステータユニット。
【請求項７】
請求項１から６のいずれか一つに記載のステータユニットにおいて、
前記接続部材は、半田である、
ステータユニット。
【請求項８】
請求項１から７のいずれか一つに記載のステータユニットを有する回転電機。
【請求項９】
ステータのコイルのコイル端部における先端部分に位置し、芯線と前記芯線の外周面を被覆する絶縁材料からなる絶縁部とを有する複数の導線の先端を、端子の導線取付位置に配置する導線配置工程と、
前記導線取付位置に半田を流し込んで、前記半田で、前記複数の導線における前記絶縁部によって被覆されずに露出する前記芯線の端面と前記端子とを接続し、前記半田によって前記複数の導線を前記端子に固定する導線接続工程と、
を有する、ステータユニットの製造方法。
【請求項１０】
請求項９に記載のステータユニットの製造方法であって、
前記端子は、筒状の収容部を有し、
前記導線配置工程では、
前記複数の導線の先端が、前記収容部内に挿入され、前記導線取付位置である前記収容部の開口側に位置し、
前記導線接続工程では、
前記複数の導線における前記芯線の端面と対向し且つ前記収容部の開口を覆う位置に導電部材を配置した状態で、前記導線取付位置における前記芯線の端面と前記導電部材との間、及び、前記収納部と前記導電部材との間に半田を流し込んで、前記半田で前記芯線の端面、前記収納部、及び前記導電部材を接続し、前記半田によって前記導電部材を前記複数の導線と前記収納部とに固定する、
ステータユニットの製造方法。
【発明の詳細な説明】
【技術分野】
【０００１】
本発明は、ステータユニット、回転電機、及び、ステータユニットの製造方法に関する。
【背景技術】
【０００２】
複数の導線を束ねて固定する端子を有するステータユニットが知られている。特許文献１には、複数の導線を結線する方法として、絶縁被膜が除去された複数の導電性巻線の先端部と複数のリード線の先端部とを重ね、前記重なった部分を外側から金属パイプ等でかしめ閉じて、前記導電性巻線と前記リード線とを端子に電気的及び機械的に接続する結線方法が開示されている。
【０００３】
また、特許文献２及び特許文献３には、複数の電線を束ねて端子に固定する方法として、複数の電線を端子に挿入し、前記端子に荷重をかけて加圧しながら通電することで、前記端子に前記電線をかしめる通電かしめが開示されている。前記特許文献２及び前記特許文献３に開示される通電かしめでは、前記複数の電線の絶縁皮膜は、溶融除去される。
【先行技術文献】
【特許文献】
【０００４】
【特許文献１】特開２００２−８４７０１号公報
【特許文献２】特開２００５−６３７１０号公報
【特許文献３】特開２００５−３４７０２７号公報
【発明の概要】
【発明が解決しようとする課題】
【０００５】
前記特許文献１に開示される構成では、あらかじめ導電性巻線（導線）及びリード線の先端部の絶縁被膜（絶縁部）を除去する工程が必要である。また、前記特許文献２及び前記特許文献３に開示される構成では、電線（導線）の絶縁皮膜（絶縁部）を溶解する際にガスが発生する可能性がある。このように、従来の構成では、端子を導線にかしめるため、かしめ工程が必要になる。また、導線の絶縁部を除去する作業工程が必要になったり、導線の絶縁部を溶融除去する際にガスが発生したりする可能性がある。
【０００６】
本発明の目的は、容易に製造可能で、ガスを発生させることなく複数の導線を固定可能な端子構造を有するステータユニット、回転電機、及び、ステータユニットの製造方法を提供することである。
【課題を解決するための手段】
【０００７】
本発明の一実施形態に係るステータユニットは、コイルを有するステータと、前記コイルに電気的に接続される芯線と、絶縁材料からなり前記芯線の外周面を被覆する絶縁部とを有する複数の導線と、前記複数の導線に接続される端子と、導電性の接続部材と、を有する。前記芯線は、前記絶縁部によって被覆されずに露出する端面を有する。前記接続部材が、前記芯線の端面に接続し、且つ前記端子に接続することで、前記複数の導線を前記端子に固定し且つ前記複数の導線の前記芯線と前記端子とを電気的に接続する。
【０００８】
本発明の一実施形態に係る回転電機は、上記のステータユニットを有する。
【０００９】
本発明の一実施形態に係るステータユニットの製造方法は、ステータのコイルに電気的に接続される芯線と、絶縁材料からなり前記芯線の外周面を被覆する絶縁部と、を有する複数の導線の先端を、端子の導線取付位置に配置する導線配置工程と、前記導線取付位置に半田を流し込んで、前記半田で、前記複数の導線における前記絶縁部によって被覆されずに露出する前記芯線の端面と前記端子とを接続し、前記半田によって前記複数の導線を前記端子に固定する導線接続工程と、を有する。
【発明の効果】
【００１０】
本発明の一実施形態に係るステータユニットによれば、容易に製造可能で、ガスを発生させることなく複数の導線を固定可能な端子構造を有するステータユニット、回転電機、及び、ステータユニットの製造方法を提供することができる。
【図面の簡単な説明】
【００１１】
【図１】図１は、実施形態に係るモータの側面図である。
【図２】図２は、端子構造体の概略構成を示す斜視図である。
【図３】図３は、図２のＩＩＩ−ＩＩＩ線断面図である。
【図４】図４は、導線の断面図である。
【図５】図５は、端子の斜視図である。
【図６】図６は、図３のＶＩ−ＶＩ線断面図である。
【図７】図７は、その他の実施形態に係る端子構造体の断面図である。
【図８】図８は、その他の実施形態に係る端子構造体の断面図である。
【図９】図９は、その他の実施形態に係る端子構造体の断面図である。
【図１０】図１０は、その他の実施形態に係る端子構造体の断面図である。
【発明を実施するための形態】
【００１２】
以下、図面を参照し、本発明の実施の形態を詳しく説明する。なお、図中の同一または相当部分については同一の符号を付してその説明は繰り返さない。また、各図中の構成部材の寸法は、実際の構成部材の寸法及び各構成部材の寸法比率等を忠実に表したものではない。
【００１３】
また、以下の説明において、“固定”、“接続”及び“取り付ける”等（以下、固定等）の表現は、部材同士が直接、固定等されている場合だけでなく、他の部材を介して固定等されている場合も含む。すなわち、以下の説明において、固定等の表現には、部材同士の直接的及び間接的な固定等の意味が含まれる。
【００１４】
（全体構成）
図１に、本発明の実施形態に係るモータ１（回転電機）の概略構成を示す。モータ１は、ステータユニット２と、ロータ３とを備える。ロータ３は、ステータユニット２に対して、中心軸Ｐを中心として回転する。ロータ３は、シャフト４を有し、シャフト４の中心軸Ｐを中心として回転する。ロータ３及びシャフト４の構成は、一般的なロータ及びシャフトと同様の構成であるため、ロータ３及びシャフト４の詳細な説明は省略する。本実施形態では、モータ１は、筒状のステータ２０内に、ロータ３が中心軸Ｐを中心として回転可能に位置する、いわゆるインナーロータ型のモータである。
【００１５】
ステータユニット２は、ステータ２０と、端子構造体５０とを有する。
【００１６】
ステータ２０は、複数のティースを有するステータコアと、前記複数のティースに巻回された複数のコイル２６とを有する。複数のコイル２６において前記ステータコアの軸方向一端側及び軸方向他端側に突出した部分は、コイルエンド部２７を構成する。コイルエンド部２７は、コイル２６の巻き始めの端部及び巻き終わりの端部であるコイル端部２６ａを含む。
【００１７】
コイル２６のコイル端部２６ａの先端部分は、後述する端子構造体５０の一部を構成する導線５１である。端子構造体５０に電源１０が電気的に接続されることで、複数のコイル２６に電力が供給される。ステータ２０の構成は、一般的なステータと同様の構成であるため、ステータ２０の詳細な説明は省略する。
【００１８】
（端子構造体）
端子構造体５０は、ステータ２０が有する複数のコイル２６の端部に位置する。図２は、端子構造体５０の概略構成を示す斜視図である。図３は、図２のＩＩＩ−ＩＩＩ線断面図である。図２及び図３に示すように、端子構造体５０は、複数の導線５１と、端子５２と、接続部材６０と、導電部材７０と、を有する。既述のように、複数の導線５１は、ステータ２０のコイル２６のコイル端部２６ａにおける先端部分である。
【００１９】
導線５１は、断面形状が略円形の丸線である。導線５１は、図４に示すように、芯線５１ａと、絶縁部５１ｂとを有する。芯線５１ａは、電流が流れる導体であり、例えば、銅で構成される。絶縁部５１ｂは、絶縁材料からなる。前記絶縁材料は、例えば、エナメルである。絶縁部５１ｂは、芯線５１ａの外周面を被覆する一方、芯線５１ａの端面５１ｃを被覆しない。これにより、芯線５１ａの端面５１ｃは露出している。
【００２０】
端子５２は、導電性の材料からなる。例えば、端子５２は、銅製であり、表面全体に錫めっき処理が施されている。端子５２は、図５に示すように、平板状の接続端子部５４と、軸線方向に延びる筒状の収容部５６とを有する。接続端子部５４は、収容部５６に対して軸線方向に接続されている。接続端子部５４と収容部５６とは、単一の部材からなる。
【００２１】
接続端子部５４には、外部機器が接続される。接続端子部５４は、接続端子部５４を厚み方向に貫通する取付孔５４ａを有する。特に図示しないが、接続端子部５４の取付孔５４ａ及び電源１０の接続端子の取付孔に締結部材を貫通させた状態で、該締結部材を固定することにより、端子５２と外部機器とを電気的に接続することができる。本実施形態では、接続端子部５４に、電源１０の接続端子が接続されることにより、端子５２と電源１０とが電気的に接続される。
【００２２】
収容部５６には、複数の導線５１が接続される。収容部５６は、全体として筒状の形状である。収容部５６は、筒状の壁で区画された収容空間Ｓを有する。収容部５６は、取付孔５４ａが位置する側及びその反対側に向かって開口する。以下、収容部５６において、取付孔５４ａ側の開口端部を接続端子側端部５６ｃとし、その反対側の開口端部を導線側端部５６ｄとする。
【００２３】
このように、端子５２は、複数の導線５１を束ねた状態で収容する筒状の収容部５６を有する。これにより、端子５２の収容部５６内に、複数の導線５１を束ねた状態で収容できる。よって、詳細は後述するが、複数の導線５１と端子５２とを容易に接続することができる。
【００２４】
複数の導線５１の先端は、収容部５６内に導線側端部５６ｄ側から挿入され、収容部５６内で束ねられている。図６は、図３のＶＩ−ＶＩ線断面図である。図６に示すように、収容部５６内に位置する複数の導線５１は、それぞれ芯線５１ａの外周面上に絶縁部５１ｂを有する。すなわち、芯線５１ａの外周面は露出していない。このため、複数の導線５１同士、及び、導線５１と収容部５６とは、電気的に絶縁されている。
【００２５】
導線５１は、既述のように断面形状が略円形である。したがって、収容部５６内で、複数の導線５１のうちの一つの導線と前記導線と隣接する導線との間には、軸方向に沿って隙間がある。また、収容部５６内で、複数の導線５１と収容部５６との間にも、軸方向に沿って隙間がある。
【００２６】
複数の導線５１の先端は、収容部５６内の導線取付位置Ｐに位置する。すなわち、収容部５６の収納空間Ｓは、導線取付位置Ｐから接続端子側端部５６ｃまでの間に、複数の導線５１が位置しない領域Ｒを含む。この領域Ｒ内に、接続部材６０及び導電部材７０が位置している。なお、本実施形態では、複数の導線５１の先端は、全て導線取付位置Ｐに位置しているが、複数の導線５１のうち一部の導線は、導線取付位置Ｐよりも接続端子側端部５６ｃ側または導線側端部５６ｄ側に位置していてもよい。
【００２７】
接続部材６０は、半田である。接続部材６０である半田は、芯線５１ａが露出した複数の導線５１の端面５１ｃ上に位置する。この接続部材６０によって、複数の導線５１をその先端側で互いに固定している。また、複数の導線５１の端面５１ｃ上に位置する接続部材６０である半田が、収容部５６の内面に接触することで、複数の導線５１を収容部５６に対して固定している。
【００２８】
また、接続部材６０である半田は、複数の導線５１の端面５１ｃで露出した芯線５１ａと端子５２とを電気的に接続している。すなわち、上述のように半田が位置することで、複数の導線５１と端子５２とは、接続部材６０を介して電気的に接続されている。
【００２９】
導電部材７０は、円盤状の銅製の部材であり、領域Ｒに収納可能な大きさである。本実施形態では、導電部材７０は、領域Ｒ内における、複数の導線５１の端面５１ｃと対向する位置であって、複数の導線５１及び収容部５６とは直接接触しない位置に位置している。そして、接続部材６０である半田が、導電部材７０と複数の導線５１における芯線５１ａの端面５１ｃとの間、及び、導電部材７０と接続端子側端部５６ｃ側における収容部５６の内面との間に位置している。これにより、複数の導線５１と端子５２とは、接続部材６０及び導電部材７０を介して、電気的に接続されている。
【００３０】
以上の構成により、複数の導線５１と端子５２とは、接続部材６０を介して電気的に接続され且つ接続部材６０及び導電部材７０を介して電気的に接続されている。
【００３１】
なお、複数の導線５１の芯線５１ａと導電部材７０とが接触していてもよい。また、導電部材７０が端子５２と接触していてもよい。
【００３２】
このように、接続部材６０である半田を用いて、複数の導線５１における芯線５１ａの端面５１ｃと導電部材７０とを半田付けし、端子５２と導電部材７０とを半田付けすることによって、複数の導線５１を端子５２に固定できるとともに、複数の導線５１の芯線５１ａと端子５２とを電気的に接続することができる。なお、半田は、複数の導線５１同士の間の隙間、及び、複数の導線５１と端子５２との間の隙間にそれぞれ入り込む。よって、接続部材６０として半田を用いることで、複数の導線５１を端子５２に容易に固定できるとともに、複数の導線５１の芯線５１ａと端子５２とを電気的に接続することができる。
【００３３】
また、複数の導線５１における芯線５１ａの端面５１ｃは、複数の導線５１が収容部５６内に収容された状態で、接続部材６０によって、収容部５６に固定され且つ端子５２に電気的に接続される。このように、収容部５６によって、複数の導線５１の先端を束ねつつ、収容部５６を利用して、複数の導線５１と端子５２とを半田によって容易に接続することができる。
【００３４】
本実施形態では、端子構造体５０は、接続部材６０を介して、複数の導線５１の端面５１ｃ及び端子５２の収容部５６に接続される導電部材７０をさらに有する。そして、接続部材６０は、複数の導線５１の芯線５１ａと端子５２の収容部５６とを電気的に接続し且つ導電部材７０を介して複数の導線５１の芯線５１ａと端子５２の収容部５６とを電気的に接続する。
【００３５】
詳細は後述するが、導電部材７０を用いずに、半田だけを用いて、複数の導線５１と端子５２とを接続することも可能である。すなわち、複数の導線５１を収容部５６に挿入した状態で、溶融した半田を領域Ｒに流し込むことにより、複数の導線５１と端子５２とを半田で接続することができる。
【００３６】
しかしながら、半田を領域Ｒに流し込む場合、半田は表面張力によって収容部５６の内面に付着する。このため、芯線５１ａの端面５１ｃ上に、複数の導線５１と端子５２との間で電流を流すための十分な厚みを有する半田層が得られない場合がある。
【００３７】
これに対し、複数の導線５１の端面５１ｃと対向する位置に導電部材７０が接続部材６０を介して固定されることで、複数の導線５１から端子５２に電流が流れる部分の面積（通電面積）を大きくすることができる。これにより、複数の導線５１と端子５２とをより確実に電気的に接続することができる。
【００３８】
なお、端子構造体５０において、収容部５６は、塑性変形していない。すなわち、複数の導線５１は、収容部５６に対してかしめによって固定されていない。本実施形態では、収容部５６が塑性変形されていないことにより、収容部の形状は、例えば、円筒形状または楕円筒形状である。このように、収容部５６が塑性変形していない構成、すなわち、複数の導線５１に対して端子５２の収容部５６がかしめられていなくても、上記の構成により、複数の導線５１を端子５２に固定し、且つ、複数の導線５１の芯線５１ａと端子５２とを電気的に接続することができる。
【００３９】
本実施形態に係るステータユニット２は、コイル２６を有するステータ２０と、コイル２６のコイル端部２６ａの先端部分に位置し、芯線５１ａと、芯線５１ａの外周面を被覆する絶縁材料からなる絶縁部５１ｂと、を有する複数の導線５１と、複数の導線５１に接続される端子５２と、導電性の接続部材６０と、を有する。芯線５１ａは、絶縁部５１ｂに被覆されない端面を有する。接続部材６０が、芯線５１ａの端面５１ｃに接続し、且つ、端子５２に接続することで、複数の導線５１を端子５２に固定し且つ複数の導線５１の芯線５１ａと端子５２とを電気的に接続する。
【００４０】
導電性の接続部材６０が複数の導線５１における芯線５１ａの端面５１ｃと端子５２とに接触することによって、複数の導線５１を端子５２に対して固定できるとともに、複数の導線５１と端子５２とを電気的に接続することができる。したがって、ステータユニット２を製造する際に、絶縁部５１ｂを除去する工程が必要でないため、ステータユニット２を容易に製造することができる。また、絶縁部５１ｂを溶融除去する必要がないため、ガスを発生させることなく、ステータユニット２を製造することができる。これにより、容易に製造可能で、且つ、ガスを発生させることなく複数の導線５１を端子５２に固定することができる、ステータユニット２を提供することができる。
【００４１】
また、本実施形態に係るモータ１は、上記の構成を有するステータユニット２を有する。これにより、ガスの発生を抑制しつつ容易に製造可能なステータユニット２を有するモータ１を提供することができる。
【００４２】
（ステータユニットの製造方法）
次に、ステータユニット２の製造方法について説明する。ステータユニット２の製造方法は、ステータ作製工程と、導線配置工程と、導線接続工程とを有する。
【００４３】
ステータ作製工程では、まず、打ち抜きされた複数の鋼鈑を積層してステータ２０のステータコアを作製する。次に、前記ステータコアのティースにコイル２６を巻回し、コイル２６のコイル端部２６ａの先端部分を前記ステータコアの一端側に引き出す。
【００４４】
導線配置工程では、コイル端部２６ａの先端部分である複数の導線５１の先端を、端子５２の収容部５６内に配置する。詳しくは、端子５２に、複数の導線５１の先端を、収容部５６の導線側端部５６ｄ側から挿入し、複数の導線５１の先端を、収容部５６、すなわち、接続端子側端部５６ｃから外に突き出ない位置に配置する。なお、このとき、複数の導線５１における芯線５１ａの外周面は絶縁部５１ｂで被覆され、芯線５１ａの端面５１ｃは絶縁部５１ｂによって被覆されずに露出した状態である。また、収容部５６は、接続端子側端部５６ｃ側に、複数の導線５１が位置しない領域Ｒを有する。
【００４５】
導線接続工程では、まず、領域Ｒ内に導電部材７０を挿入する。その後、収容部５６の接続端子側端部５６ｃ側から接続部材６０である半田を流し込んで、複数の導線の先端と導電部材７０、及び、収容部５６の接続端子側端部５６ｃ側の内面側と導電部材７０とを半田付けする。
【００４６】
以上の工程により、複数の導線５１を端子５２に固定して、複数の導線５１の芯線５１ａと端子５２とを電気的に接続する端子構造体５０を有するステータユニット２を製造することができる。
【００４７】
なお、この製造方法によると、端子５２を複数の導線５１にかしめる工程が不要である。また、導線５１の外周面を被覆する絶縁部５１ｂを溶融除去したり、絶縁部５１ｂをあらかじめ剥がしたりする工程も不要である。
【００４８】
すなわち、本実施形態に係るステータユニット２の製造方法は、ステータ２０のコイル２６のコイル端部２６ａにおける先端部分に位置し、芯線５１ａと芯線５１ａの外周面を被覆する絶縁材料からなる絶縁部５１ｂとを有する複数の導線５１の先端を、端子５２の導線取付位置Ｐに配置する導線配置工程と、導線取付位置Ｐに半田を流し込んで、前記半田で、複数の導線５１における絶縁部５１ｂによって被覆されずに露出する芯線５１ａの端面５１ｃと端子５２とを接続し、前記半田によって複数の導線５１を端子５２に固定する導線接続工程と、を有する。
【００４９】
このように、半田によって、複数の導線５１を端子５２に固定できるとともに、複数の導線５１の芯線５１ａと端子５２とを電気的に接続することができる。このため、芯線５１ａの外周面を被覆する絶縁部５１ｂを除去するために、絶縁部５１ｂを溶融除去したり、絶縁部５１ｂをあらかじめ剥がしたりする工程が不要になる。これにより、有害ガスを発生させることなく、ステータユニットを容易に製造することができる。
【００５０】
また、上記の製造方法において、端子５２は、筒状の収容部５６を有する。前記導線配置工程では、複数の導線５１の先端が、収容部５６内に挿入され、導線取付位置Ｐである収容部５６の接続端子側端部５６ｃ側に位置する。前記導線接続工程では、複数の導線５１における芯線５１ａの端面と対向し且つ収容部５６の接続端子側端部５６ｃを覆う位置に導電部材７０を配置した状態で、導線取付位置Ｐにおける芯線５１ａの端面と導電部材７０との間、及び、収容部５６と導電部材７０との間に半田を流し込んで、前記半田で芯線５１ａの端面、収容部５６、及び導電部材７０を接続し、前記半田によって導電部材７０を複数の導線５１と収容部５６とに固定する。
【００５１】
このように、端子５２の収容部５６を利用して複数の導線５１と収容部５６とを半田によって接続することにより、複数の導線５１を端子５２に容易に固定し、且つ、複数の導線５１の芯線５１ａと端子５２とを容易に電気的に接続することができる。しかも、複数の導線５１における芯線５１ａの端面と導電部材７０、及び、収容部５６の接続端子側端部５６ｃ側と導電部材７０とを、半田付けすることにより、複数の導線５１から端子５２に電流が流れる部分の面積（通電面積）を大きくすることができる。これにより、複数の導線５１と端子５２とをより確実に電気的に接続することができる。
【００５２】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００５３】
上記実施形態では、端子構造体５０は、領域Ｒに導電部材７０を有する。しかしながら、図７に示すように、端子構造体は、領域Ｒに導電部材を有さない端子構造体１５０であってもよい。
【００５４】
端子構造体１５０は、複数の導線５１と、端子５２と、接続部材６０とを有する。複数の導線５１と、端子５２の収容部５６とは、接続部材６０である半田によって接続される。すなわち、複数の導線５１は、収容部５６の接続端子側端部５６ｃ側の導線取付位置Ｐで、半田によって端子５２に対して固定され且つ電気的に接続されている。
【００５５】
詳しくは、接続部材６０である半田が、芯線５１ａが露出した複数の導線５１の端面５１ｃ上に位置することで、複数の導線５１をその先端側で互いに固定している。また、複数の導線５１の端面５１ｃ上に位置する接続部材６０である半田が、収容部５６の内面に接触することで、複数の導線５１を収容部５６に対して固定している。
【００５６】
また、接続部材６０である半田は、複数の導線５１の端面５１ｃで露出した芯線５１ａと端子５２とを電気的に接続している。すなわち、上述のように半田が位置することで、複数の導線５１と端子５２とを電気的に接続している。
【００５７】
このように、端子構造体１５０では、導電性の接続部材６０が複数の導線５１における芯線５１ａに接続し、且つ、端子５２に接続することで、複数の導線５１を端子５２に固定できるとともに、複数の導線５１の芯線５１ａと端子５２とを電気的に接続することができる。
【００５８】
なお、端子構造体１５０は、ステータユニットの製造方法における導線接続工程で、領域Ｒ内に導電部材７０を挿入することなく、領域Ｒに接続部材６０である半田を流し込むことで、製造することができる。
【００５９】
上記実施形態では、端子構造体５０は、複数の導線５１におけるすべての芯線５１ａの端面５１ｃに接続する接続部材６０を有する。しかしながら、図８に示すように、端子構造体２５０は、複数の導線５１における一部の芯線５１ａの端面５１ｃとは接続しない接続部材６０を有する端子構造体２５０であってもよい。
【００６０】
端子構造体２５０は、複数の導線５１と、端子５２と、接続部材６０と、導電部材７０とを有する。導電部材７０は、領域Ｒ内において、複数の導線５１における芯線５１ａの端面５１ｃに直接接触する位置に位置した状態で、接続部材６０である半田が導電部材７０と端子５２における収容部５６の内面との間に位置している。これにより、複数の導線５１を収容部５６に対して固定することができる。
【００６１】
また、複数の導線５１における芯線５１ａの端面５１ｃに、導電部材７０又は接続部材６０のいずれかが接続するとともに、導電部材７０と接続部材６０とが接続している。これにより、複数の導線５１の芯線５１ａと接続部材６０が接続する収容部５６とを電気的に接続することができる。
【００６２】
このように、端子構造体２５０では、導電部材７０又は接続部材６０が複数の導線５１における芯線５１ａの端面に接続し且つ端子５２に接続することで、複数の導線５１を端子５２に固定できるとともに、複数の導線５１の芯線５１ａと端子５２とを電気的に接続することができる。
【００６３】
上記実施形態では、端子構造体５０、１５０、２５０が有する端子５２は、筒状の収容部５６を有する。しかしながら、端子は、複数の壁部を有し且つ該複数の壁部の間に前記複数の導線を束ねた状態で収納する収容部３５６、４５６を有する端子３５２、４５２であってもよい。
【００６４】
例えば、端子３５２は、図９に示すように、軸方向に見て、コの字状の収容部３５６を有していてもよい。すなわち、端子構造体３５０が有する端子３５２は、接続端子部５４と単一の部材である壁部３５６ａと、端子３５２を軸方向に見て、壁部３５６ａに対してその厚み方向に延びる一対の壁部３５６ｂとを有する。壁部３５６ａと一対の壁部３５６ｂとは、単一の部材からなる。
【００６５】
端子構造体３５０は、複数の導線５１と、収容部３５６を有する端子３５２と、接続部材６０とを有する。複数の導線５１と、収容部３５６とは、接続部材６０である半田によって接続される。端子構造体３５０は、導電部材７０を有する構成であってもよいし、導電部材７０を有さない構成であってもよい。
【００６６】
また、端子４５２は、図１０に示すように、軸方向に見て、Ｌ字状の収容部４５６を有していてもよい。すなわち、端子構造体４５０が有する端子４５２は、接続端子部５４と単一の部材である壁部４５６ａと、端子４５２を軸方向に見て、壁部４５６ａに対してその厚み方向に延びる一つの壁部４５６ｂとを有する。壁部４５６ａと壁部４５６ｂとは、単一の部材からなる。
【００６７】
端子構造体４５０は、複数の導線５１と、端子４５２と、接続部材６０とを有する。複数の導線５１と、収容部４５６とは、接続部材６０である半田によって接続される。端子構造体４５０は、導電部材７０を有する構成であってもよいし、導電部材７０を有さない構成であってもよい。
【００６８】
端子構造体３５０、４５０においても、端子構造体５０、１５０、２５０と同様に、収容部３５６、４５６は、複数の導線５１を束ねた状態で収納することができる。このように、複数の導線５１が束ねられているので、複数の導線５１と端子３５２、４５２とを接続部材６０によって容易に接続できる。
【００６９】
上記実施形態では、端子構造体５０、１５０、２５０、３５０、４５０は、ステータ２０と電源１０とを接続するための端子構造体である。しかしながら、端子構造体は、ステータと電源以外の機器とを接続するための端子構造体であってもよい。
【００７０】
上記実施形態では、複数の導線５１の先端が配置される導線取付位置Ｐは収容部５６、３５６、４５６内に位置している。しかしながら、複数の導線の先端が配置される導線取付位置は、収容部の外に位置してもよい。
【００７１】
上記実施形態では、端子５２、３５２、４５２は、複数の導線５１を束ねた状態で収納する収容部５６、３５６、４５６を有する。しかしながら、端子は、複数の導線を束ねる収容部を有さない構成であってもよい。この場合においても、接続部材が、複数の導線における芯線の端面と、導線端子部とを接続することで、前記複数の導線を前記端子に固定し且つ前記複数の導線と前記端子とを電気的に接続することができる。
【００７２】
上記実施形態では、収容部５６の一部及び収容部３５６、４５６における壁部３５６ａ、３５６ｂ、４５６ａ、４５６ｂは、平板状である。しかしながら、収容部における平板状の部分は、収容部を該収容部の開口側から見て前記収容部の外方に突出する円弧状等であってもよい。
【００７３】
上記実施形態では、接続部材６０は、半田である。しかしながら、接続部材は、導電性の部材同士を接合、接着、又は、溶接等することができる導電性の部材であれば、半田でなくてもよい。
【００７４】
上記実施形態では、導電部材７０は、円盤状の銅製の部材である。しかしながら、導電部材は、導電性の部材であれば、銅製でなくてもよい。また、導電部材は、領域Ｒに収納可能な形状であれば、円盤状でなくてもよい。
【００７５】
上記実施形態では、導電部材７０は、領域Ｒ内に位置する。しかしながら、導電部材は、接続部材を介して複数の導線の端面と端子とに固定され、複数の導線の芯線と端子とを電気的に接続することができれば、収容部の接続端子側端部を覆う位置に位置してもよい。この場合、導電部材は、前記位置に収まる形状であればよい。
【００７６】
上記実施形態では、モータ１が有するステータユニット２について説明したが、ステータユニットは、モータ以外の回転電機に利用するものであってもよい。
【産業上の利用可能性】
【００７７】
本発明は、絶縁部で被覆された複数の導線を他の機器等に電気的に接続するための端子を有するステータユニットに適用可能である。
【符号の説明】
【００７８】
１  モータ（回転電機）
２  ステータユニット
３  ロータ
５０、１５０、２５０、３５０、４５０  端子構造体
５１  導線
５１ａ  芯線
５１ｂ  絶縁部
５２、３５２、４５２  端子
５４  接続端子部
５６、３５６、４５６  収容部
５６ｃ  接続端子側端部
５６ｄ  導線側端部
６０  接続部材
７０  導電部材
【図１】
2020181762.tif 000003
【図２】
2020181762.tif 000004
【図３】
2020181762.tif 000005
【図４】
2020181762.tif 000006
【図５】
2020181762.tif 000007
【図６】
2020181762.tif 000008
【図７】
2020181762.tif 000009
【図８】
2020181762.tif 000010
【図９】
2020181762.tif 000011
【図１０】
2020181762.tif 000012